(57)【要約】      （修正有）【課題】自立可能なパッドを提供する。【解決手段】３枚以上の独立した各々のパッド１，２，３，４，５は、直方体の形状を成し、それぞれのパッドは隣り合わせたパッドと折り曲げが可能な状態で表面を覆うカバーにて連結されている。連結された３枚以上のパッドは、１枚のパッドとして構成され、折り曲げが可能な接続部分より折り曲げることで、隣り合わせたパッドとの間に角度を持ち、パッド全体を床面と垂直に立てた状態の時には、折り曲げられた状態が支えとなって自立することが可能となる。このような自立が可能なパッドの表面を覆うカバーには、防水性の素材を用いてその表面を覆うことで、自立させた状態においてそのパッドの表面もしくは裏面に付着した水分は、重力の影響により、防水性のあるカバー表面を流れて、下へ落下することで、床面と平行に置かれた状態でのパッドと比較して、短時間でパッド表面に付着した水分を取り除くことが可能となる。【選択図】図１
2008110810.tif 000002
【特許請求の範囲】
【請求項１】
各々のパッドは直方体形状を持ち、容易に折り曲がらないような衝撃緩衝素材を用いて形成された構造とし、そのパッドは、３個以上のユニットからなる衝撃緩衝用のパッドとして、表面を覆うカバーにて連結させ、折り曲げ可能な状態にした各パッドを組み合わせて１枚のパッドとして構成をし、その１枚に形成されたパッドは、各々のパッドとの連結部分にて折曲がることで、床面から垂直に自立して縦置きすることが可能な自立式衝撃緩衝用パッド。
【請求項２】
請求項１記載の自立式衝撃緩衝用パッドにおいて、その表面を覆うカバー部を防水性のある素材を用いて覆うことで、自立させて際に、カバー表面に付着した水分を重力の影響により自然落下させることが可能な自立式衝撃緩衝用パッド。
【請求項３】
請求項１及び２記載の自立式衝撃緩衝用パッドにおいて、使用される目的や場所に応じて、各々のパッドを折り畳むことで、パッド全体の厚みを変化させることが可能な自立式衝撃緩衝用パッド。
【発明の詳細な説明】
【技術分野】
【０００１】本発明は、人体，動物，植物及び荷物，機械，設備機器，精密部品等に掛かる衝撃を和らげる用途に関するパッドの分野である。
【背景の技術】
【０００２】従来のパッド類では、パッド自体が単体の構造を持っており、壁面に立掛けたり、テープやロープ等にて固定をしなければ自立できなかった。
また、引越し等の荷物を運搬されるトラック等の荷台においては、毛布等を荷物の間に挟んで衝撃を和らげたりしているが、こちらも未使用時には自立して立掛けることはできない。
【発明の開示】
【発明が解決しようとする課題】
【０００３】このように自立が困難な従来の技術においては、例えば雨天時に、そのパッド等が雨に濡れてしまった場合に、パッドの表面（面積が広い表面もしくは裏面）に付着した水分を自然に取り除く為には、立てた状態にて保管をする方法が効果的であるが、自立が困難な従来の技術においては困難である。
さらに、毛布等の場合には、濡れてしまうと、水分を吸収してしまうことから、実際に衝撃緩衝用の目的で使用しようとした場合にも、荷物等に悪影響を与えてしまう可能性もある。【０００４】次に、単体の構造であるパッドを用いて、目的の場所において衝撃緩衝を行う場合に、対象物との隙間の空間が広い場合には、複数枚数のパッドを挟み込む必要がある。
また、パッド１枚の厚みから吸収できる衝撃度合いがある程度決まってしまい、より強力に衝撃吸収をしたい場合には、やはり複数枚数のパッドを用いる必要性がある。
【本発明の目的】
【０００５】本発明は、様々な用途や目的に応じた場所において、自由に厚みを変えたり、パッド表面に付着した水分を除去することが容易なパッドを提供することである。
【課題を解決するための手段】
【０００６】３枚以上の独立した各々のパッドは、直方体の形状を成し、それぞれのパッドは隣り合わせたパッドと折り曲げが可能な状態で、表面を覆うカバーにて連結されている。
連結された３枚以上のパッドは、１枚のパッドとして構成され、折り曲げが可能な接続部分より、折り曲げることで、隣り合わせたパッドとの間に角度を持ち、パッド全体を床面と垂直に立てた状態の時には、折り曲げられた状態が支えとなって自立することが可能となる。
【０００７】次に、このような自立が可能なパッドの表面を覆うカバーには、防水性の素材を用いて、その表面を覆うことで、自立させた状態において、そのパッドの表面もしくは裏面に付着した水分は、重力の影響により、防水性のあるカバー表面を流れて、下へ落下することで、床面と平行に置かれた状態でのパッドと比較して、短時間でパッド表面に付着した水分を取り除くことが可能となる。
【０００８】また、３枚以上のパッドから構成される折り曲げ可能なパッドは、各々のパッド自体の厚みは薄くても、使用目的に応じて、パッドを折り畳むことで、パッド全体の厚みを変化させることが可能となり、例えば、荷物との隙間が広く空いた場所においては、パッド自体を折り畳むことで、その隙間に合致した空間を充填することも可能となる。
【発明を実施するための最良の形態】
【０００９】以下は、本発明を実施するための最良の形態について、実施例の図面を参照して説明をする。
図１は、本発明の実施例の自立式衝撃緩衝パッドの斜視図である。
図２は、本発明の実施例の折り畳み手順を示した流れ図である。
図３は、本発明の実施例の自立式衝撃緩衝パッドの上部・正面・側面からの平面図である。【００１０】はじめに、図１を参照しながら、５つのユニットより構成された自立式衝撃緩衝パッドの説明をする。
１（最左側パッド）、２（中左側パッド）、３（中央パッド）、４（中右側パッド）、５（最右側パッド）は、各々独立した直方体で構成されたポリエチレン素材を使用したパッドで、各々のパッド自体の厚みは同一となっている。
３（中央パッド）のパッドは、隣接する２（中左側パッド）および４（中右側パッド）と接続され、１（最左側パッド）は２（中左側パッド）と、５（最右側パッド）は、４（中右側パッド）と接続され、各々のパッドと折り曲げが可能な隙間を保持して置かれていて、各々のパッドは一連の表面を覆うカバーにて接続されている。【００１１】次に、図２を参照しながら、自立式衝撃緩衝パッドがどのように折り畳んだりするのかについて、流れ図より説明をする。
６（左右二つ折状態）の場合には、３（中央パッド）の平面積と同一の寸法であるが、厚みは通常展開された状態と比べ２倍となる。この状態より、７（右側面パッドの展開状態）を開くことで、８（右側面パッドを伸ばした状態）は展開された状態でかつ、９（左側面パッドが二つ折の状態）は折り畳んでいる為、ゆるやかな傾斜を有したパッドとなる。
次に、１０（左側面パッドの展開状態）も開くことで、１１（左右側面パッドを伸ばした状態）のように完全に展開された１枚のパッドとなり、この状態ではパッドの厚みが一番薄い状況となっている。
また、１２（右側面パッドを折り畳んだ状態）のように、４（中右側パッド）と５（最右側パッド）を折り曲げることで、１３（右側面パッドを三つ折にした状態）のように、パッドの厚みを３倍にすることができる。
１４（左側面パッドを三つ折にした状態）も同様に折り曲げることで、１５（左右側面パッドを折り畳んだ状態）のように３（中央パッド）より左右が盛り上がった状態となり、例えば、トラックの荷台等に転がってしまうような荷物がある場合には、左右のストッパー的な役割も兼ねるので便利である。【００１２】次に、図３は、本発明の実施例の自立式衝撃緩衝パッドの１６（パッドの正面）、１７（パッドの平面）、２０（パッドの側面）を表した図である。
１８（パッドの連結カバー部）は、各々の個別パッド同士を連結しており、１９（パッドの折り畳み部）を折り曲げる際には、前後いづれの方向にも折り曲げることが可能な構造である。
さらに、各々の個別パッドは、同一の側面寸法である為、折り曲げた状態において自立して床面に立てることが可能となる。【００１３】また、図２のように、いづれか一方のみを折り畳むか、もしくは片側のパッドを時計回りに折り畳み、反対側のパッドをそのままの状態もしくは反時計回りに折り畳むことで、パッド全体として傾斜角度を有した断面構造となり、床面より角度を持った荷物などを安定させたりする用途にも応用することが可能となる。
【発明の効果】
【００１４】本発明により、複数枚数のパッドを準備することなく、１枚の自立式衝撃緩衝パッドを用いて、様々な用途に応じた利用が可能となるばかりか、折り曲げた状態で自立して床面と垂直な状態での保管も可能となることから、付着した水分や汚れを除去することも可能となる。
【産業上の利用可能性】
【００１５】本発明の産業上の利用が可能な場所としては、人体や動物，植物等の居住もしくは生息場所において、その周囲との接触が想定される箇所の隙間充填用途としての利用や、荷物，機械，設備機器，精密部品等の運搬や保管を行う場所における、その周囲との接触が想定される箇所の隙間充填用途としても利用が可能である。
【図面の簡単な説明】
【００１６】
【図１】本発明品実施例の斜視図である。
【図２】本発明品実施例の上部・正面・側面からの平面図である。
【図３】本発明品実施例の折り曲げイメージ図である。
【符号の説明】
【００１７】１    最左側パッド
２    中左側パッド
３    中央パッド
４    中右側パッド
５    最右側パッド
６    左右二つ折状態
７    右側面パッドの展開状態
８    右側面パッドを伸ばした状態
９    左側面パッドが二つ折の状態
１０  左側面パッドの展開状態
１１  左右側面パッドを伸ばした状態
１２  右側面パッドを折り畳んだ状態
１３  右側面パッドを三つ折にした状態
１４  左側面パッドを折り畳んだ状態
１５  左右側面パッドを折り畳んだ状態
１６  パッドの正面
１７  パッドの平面
１８  パッドの連結カバー部
１９  パッドの折り畳み部
２０  パッドの側面
【図１】
2008110810.tif 000003
【図２】
2008110810.tif 000004
【図３】
2008110810.tif 000005